(57)【要約】【課題】径が異なる複数種類の細孔を有している光ファイバにおいて、端末処理された端部における光の伝搬モードの乱れを防止する。【解決手段】本発明のフォトニッククリスタルファイバは、コア１と、コア１の周囲に設けられ、光ファイバ軸方向に延びる多数の細孔４ｂ、４ｃが結晶状に配列されたクラッド部２と、クラッド部２の周囲に設けられたオーバークラッド部３とを備え、前記細孔４ｂ、４ｃには、第１細孔と、該第１細孔よりも径が大きい第２細孔４ｂとが含まれており、フォトニッククリスタルファイバの少なくとも一端において細孔の端は閉じており、第１細孔の閉じている端と第２細孔の閉じている端との光ファイバ軸方向における距離Ｌ１が５０μｍ以下である。【選択図】図３
2005321447.tif 000002
【特許請求の範囲】
【請求項１】
コアと、
前記コアの周囲に設けられ、光ファイバ軸方向に延びる多数の細孔が結晶状に配列されたクラッド部と、
前記クラッド部の周囲に設けられたオーバークラッド部と
を備えたフォトニッククリスタルファイバであって、
前記細孔には、第１細孔と、該第１細孔よりも径が大きい第２細孔とが含まれており、
前記フォトニッククリスタルファイバの少なくとも一端において前記細孔の端は閉じており、
前記第１細孔の閉じている端と前記第２細孔の閉じている端との前記光ファイバ軸方向における距離が５０μｍ以下である、フォトニッククリスタルファイバ。
【請求項２】
偏波保持機能を有し、シングルモードファイバである、請求項１に記載のフォトニッククリスタルファイバ。
【請求項３】
コアと、該コアの周囲に設けられ且つ光ファイバ軸方向に延びる多数の細孔が結晶状に配列されたクラッド部と、該クラッド部の周囲に設けられたオーバークラッド部とを備え、該細孔には第１細孔と、該第１細孔よりも径が大きい第２細孔とが含まれているフォトニッククリスタルファイバの端末の処理方法であって、
前記フォトニッククリスタルファイバの少なくとも一端を加熱して前記細孔の端を溶融させて閉じる工程と、
前記ファイバの一端を切断して前記第２細孔のみを開口させる工程と、
前記第１細孔の閉じられた端部から前記ファイバ軸方向において５０μｍ以下の距離まで、前記ファイバを構成する材質と略同等の屈折率を有する注入物質を前記第２細孔に注入する工程と
を含む、フォトニッククリスタルファイバの端末の処理方法。
【請求項４】
コアと、該コアの周囲に設けられ且つ光ファイバ軸方向に延びる多数の細孔が結晶状に配列されたクラッド部と、該クラッド部の周囲に設けられたオーバークラッド部とを備え、該細孔には第１細孔と、該第１細孔よりも径が大きい第２細孔とが含まれているフォトニッククリスタルファイバの端末の処理方法であって、
前記フォトニッククリスタルファイバの少なくとも一端から前記細孔に前記ファイバを構成する材質と略同等の屈折率を有する注入物質を注入する工程と、
前記ファイバの一端を切断して前記第２細孔のみを開口させる工程と、
前記第１細孔の閉じられた端部から前記ファイバ軸方向において５０μｍ以下の距離まで、前記注入物質を前記第２細孔に注入する工程と
を含む、フォトニッククリスタルファイバの端末の処理方法。
【発明の詳細な説明】
【技術分野】
【０００１】
本発明は、コアの周囲に、光ファイバ軸方向に延びる多数の細孔が結晶状に配列されたクラッド部と、該クラッド部の周囲に設けられたオーバークラッド部とを備えたフォトニッククリスタルファイバに関するものである。
【背景技術】
【０００２】
近年、コア及びクラッドからなる通常の光ファイバでは得ることのできない大きな波長分散を発現する光ファイバとしてフォトニッククリスタルファイバが注目されている。このフォトニッククリスタルファイバは、コアの周囲に、光ファイバ軸方向に延びる多数の細孔が結晶状に配列されたクラッド部と、さらにクラッド部をサポートするためにクラッド部の周囲に設けられたオーバークラッド部とを備えている。
【０００３】
一方、偏光や干渉を利用した光ファイバセンサやコヒーレント光ファイバ通信等には、偏波安定性が高い偏波保持ファイバを使用している。上記フォトニッククリスタルファイバも、その波長分散特性を生かして偏波保持フォトニッククリスタルファイバとしての使用が検討されている。フォトニッククリスタルファイバを偏波保持ファイバにするには、コア、あるいはコア近辺の細孔配置に工夫を凝らし、例えばコアの断面形状を楕円形状や長方形状にしたり、コアに隣接する細孔の一部を他の細孔とは異なる径にしたり、あるいは細孔の横断面の形状を楕円とし各細孔の楕円の長径方向を揃えることにより偏波保持機能を付与したりすればよい。（例えば、特許文献１、非特許文献１および２を参照）
上述の偏波保持機能の付与方法の中で、コアに隣接する細孔の一部を他の細孔とは異なる径にして偏波保持ファイバとする方法が最も製造が容易であり、また偏波保持特性を所定値に設定することも容易な方法である。
【０００４】
上述のようなフォトニッククリスタルファイバを用いるためには、光の入出力装置に接続あるいは設置するために、あるいはファイバ同士の接続のために、フォトニッククリスタルファイバの端面を研磨する必要がある。けれども、端面に細孔が開口した状態でフォトニッククリスタルファイバの端面を研磨すると、ファイバの破片や研磨剤が細孔に入り込んでしまい光の伝送に支障をきたすため、アーク放電等でファイバ端部を溶融させて細孔を塞いでから（端末処理を行ってから）端面の研磨が行われている。
【特許文献１】特開２００３−２２２７３９号公報
【特許文献２】特開２００２−２３６２３４号公報
【非特許文献１】SUZUKI,K. et al. High-speed bi-directional polarisation division multiplexed optical transmission in ultra low-loss(1.3dB/km) polarisation-maintaining photonic crystal fibre. In: Electronics Letters,(US),8th November 2001, Vol.37, No.23, p.1399-1401
【非特許文献２】STEEL,M.J. et al. Polarization and Dispersive Properties of Elliptical-Hole Photonic Crystal Fibers. In: Journal of Lightwave Technology, (US), April 2001, Vol.19, No.4, p.495-503
【発明の開示】
【発明が解決しようとする課題】
【０００５】
しかしながら、偏波保持フォトニッククリスタルファイバのように１本のファイバに異なる径の細孔が複数種類存在すると、ファイバ端部を溶融させて細孔を塞いだ場合に、端面からの細孔がつぶされて塞がっている部分の距離が、細孔の径により異なるという現象が生じる。つまり、径が小さいと孔がつぶれ易いため、細孔がつぶされた距離が長くなり、径が大きいと孔がつぶれにくく細孔がつぶされた距離が短くなるから、細孔の塞がっている距離が径の大きさによって異なってくるのである。
【０００６】
偏波保持フォトニッククリスタルファイバにおいて、上記のように細孔がつぶれている距離が異なると、信号光のモードがシングルモードからマルチモードに変わってしまうという問題が生じる。つまり、径の大きさによって孔がつぶれている細孔とつぶれていない細孔とが混在している領域では、フォトニッククリスタル構造および偏波保持構造が崩れてしまっているのである。この問題は、信号光の波長が長波長になるほど顕著に現れる。なお、このようなモードの乱れは、Far Field Pattern（以下、ＦＦＰという）によってその程度を確認することができる。
【０００７】
本発明は、かかる点に鑑みてなされたものであり、その目的とするところは、径が異なる複数種類の細孔を有している光ファイバにおいて、端末処理された端部における光の伝搬モードの乱れを防止することにある。
【課題を解決するための手段】
【０００８】
本発明のフォトニッククリスタルファイバは、コアと、前記コアの周囲に設けられ、光ファイバ軸方向に延びる多数の細孔が結晶状に配列されたクラッド部と、前記クラッド部の周囲に設けられたオーバークラッド部とを備えたフォトニッククリスタルファイバであって、前記細孔には、第１細孔と、該第１細孔よりも径が大きい第２細孔とが含まれており、前記フォトニッククリスタルファイバの少なくとも一端において前記細孔の端は閉じており、前記第１細孔の閉じている端と前記第２細孔の閉じている端との前記光ファイバ軸方向における距離が５０μｍ以下である。
【０００９】
前記フォトニッククリスタルファイバは、偏波保持機能を有し、シングルモードファイバであってもよい。
【００１０】
本発明の第１のフォトニッククリスタルファイバの端末の処理方法は、コアと、該コアの周囲に設けられ且つ光ファイバ軸方向に延びる多数の細孔が結晶状に配列されたクラッド部と、該クラッド部の周囲に設けられたオーバークラッド部とを備え、該細孔には第１細孔と、該第１細孔よりも径が大きい第２細孔とが含まれているフォトニッククリスタルファイバの端末の処理方法であって、前記フォトニッククリスタルファイバの少なくとも一端を加熱して前記細孔の端を溶融させて閉じる工程と、前記ファイバの一端を切断して前記第２細孔のみを開口させる工程と、前記第１細孔の閉じられた端部から前記ファイバ軸方向において５０μｍ以下の距離まで、前記ファイバを構成する材質と略同等の屈折率を有する注入物質を前記第２細孔に注入する工程とを含む。
【００１１】
本発明の第２のフォトニッククリスタルファイバの端末の処理方法は、コアと、該コアの周囲に設けられ且つ光ファイバ軸方向に延びる多数の細孔が結晶状に配列されたクラッド部と、該クラッド部の周囲に設けられたオーバークラッド部とを備え、該細孔には第１細孔と、該第１細孔よりも径が大きい第２細孔とが含まれているフォトニッククリスタルファイバの端末の処理方法であって、前記フォトニッククリスタルファイバの少なくとも一端から前記細孔に前記ファイバを構成する材質と略同等の屈折率を有する注入物質を注入する工程と、前記ファイバの一端を切断して前記第２細孔のみを開口させる工程と、前記第１細孔の閉じられた端部から前記ファイバ軸方向において５０μｍ以下の距離まで、前記注入物質を前記第２細孔に注入する工程とを含む。
【発明の効果】
【００１２】
径の異なる複数種類の細孔を有するフォトニッククリスタルファイバの端末において、径の小さい第１細孔と径の大きい第２細孔との双方の塞がれている末端同士のファイバ軸方向における距離が５０μｍ以下であるので、この端末における伝搬光のモードの乱れが抑制される。
【発明を実施するための最良の形態】
【００１３】
以下、本発明の実施形態を図面に基づいて詳細に説明する。
【００１４】
（実施形態１）
実施形態１に係る偏波保持フォトニッククリスタルファイバ（以下、偏波保持ＰＣＦという）の横断面を図１（ハッチング省略）に示す。
【００１５】
この偏波保持ＰＣＦは、横断面の中心にファイバ軸方向に延びる石英ガラスからなるコア１が位置しており、そのコア１の周囲にはファイバ軸方向に延びる多数の細孔４ａ，４ｂ，４ｃが、最小単位が正三角形格子の結晶状に配列してクラッド部２を形成している。ここで、多数の細孔４ａ，４ｂ，４ｃが結晶状に配列されたというのは、多数の細孔４ａ，４ｂ，４ｃがファイバ横断面において規則的に配列していることである。このような配列としては、例えば、最小単位が正三角形、正方形又は長方形である格子配列等を挙げることができる。細孔４ａ，４ｂ，４ｃの径は０．１〜１０μｍであることが、ファイバ特性上好ましい。そして、クラッド部２の周囲には石英ガラスからなるオーバークラッド部３が設けられている。オーバークラッド部３は、クラッド部２をサポートする部分である。
【００１６】
この偏波保持ＰＣＦのコア１に隣接する六つの細孔４ａ，４ｂは、径の異なる２種類の細孔４ａ，４ｂからなっている。コア１を挟んで相対する一対の第１細孔４ａの径は、それ以外の四つの第２細孔４ｂの径よりも小さい。なお、クラッド部２を構成している細孔４ｃは、第１細孔４ａと同じ径である。従って、孔径の点ではクラッド部２の細孔４ｃも第１細孔ということができる。このように径の異なる２種類の細孔４ａ，４ｂをコア１の周りに配置することで、偏波保持機能が光ファイバに備わる。すなわち、小さい径の一対の第１細孔４ａ，４ａの中心を結ぶ直線を含みファイバ横断面に垂直な偏波面と、それに直交する偏波面とでは、コア１隣接の細孔配置により、伝搬する二つの偏波モード間の伝搬定数に差ができるので、偏波が保持されるのである。なお、このような偏波保持ＰＣＦの作成方法は、例えば特許文献１に記載されているように、大径の石英円筒の中空部に石英ロッドと石英キャピラリを詰め込んで母材とする母材形成や石英棒にドリルなどで孔を開けて母材とする母材形成などで母材を作成した後、その母材を線引きする方法を挙げることができる。
【００１７】
本実施形態では、細孔４ａ，４ｂ，４ｃが開口している偏波保持ＰＣＦの一端を、融着接続機を用いてアーク放電により溶融させて細孔４ａ，４ｂ，４ｃの端部を閉じる。細孔４ａ，４ｂ，４ｃの端部を閉じるのは、コネクタを取り付けるためにファイバ端面を研磨するときに、細孔４ａ，４ｂ，４ｃに研磨剤やガラスの破片が入らないようにするためである。このように一端を溶融させて細孔４ａ，４ｂ，４ｃの端部を閉じた偏波保持ＰＣＦのファイバ軸方向に沿った断面（図１のＸ−Ｘ線断面）を図２（ハッチング省略）に模式的に示す。ここで、第１細孔４ａおよびクラッド部２を構成する細孔４ｃは、第２細孔４ｂよりも径が小さいので、溶融によって孔がつぶれる範囲が第２細孔４ｂよりも広くなる。即ち、閉じられた側のファイバ末端８から閉じられた孔の末端までの距離が、第２細孔４ｂよりも第１細孔４ａおよびクラッド部２の細孔４ｃの方が長くなる。なお、第１細孔４ａとクラッド部２の細孔４ｃの閉じている末端位置は、両者の径が略同一なので、ほぼ同じ位置Ｂとなる。このような状態では、コア１の周囲に第２細孔４ｂのみが存在していて、第１細孔４ａは消滅している（閉じている）部分が存在することになる。このような状態になると、本来シングルモードであった伝搬モードが乱れてしまい、マルチモードになってしまう。従って、この状態のファイバ末端をコネクタに取り付けても、ファイバから出射する光は、伝搬モードに乱れが生じた光となり、正確な光信号（情報）を取り出すことができない。
【００１８】
そこでこの課題を解決するために、本実施形態では、まず図２の一点鎖線Ａの位置で偏波保持ＰＣＦを切断する。一点鎖線Ａの位置で切断すると、第２細孔４ｂのみが切断面に開口し、第１細孔４ａおよびクラッド部２の細孔４ｃは閉じたままで切断面には開口しない。
【００１９】
それから、図３（切断部分のハッチング省略）に示すように、開口している第２細孔４ｂにファイバを構成する石英と略同等の屈折率を有する注入物質７を注入する。ここでの屈折率は、偏波保持ＰＣＦを伝達する信号光の波長における屈折率のことである。注入物質７は、第２細孔４ｂ内の注入物質７の端部と、第１細孔４ａおよびクラッド部２の細孔４ｃの閉じた末端とのファイバ軸方向における距離Ｌ１が５０μｍ以下になるように注入する。注入方法は、注射器のようなものを用いて注入してもよいし、切断面１０を液体である注入物質７に漬けて毛細管現象を利用して注入してもよいし、どのような方法を用いても構わない。また、注入物質７は石英と略同等の屈折率を有する物質であればどのようなものでも構わないが、紫外線硬化型のアクリル樹脂やエポキシ樹脂であることが好ましい。このような紫外線硬化型の樹脂を注入物質７として用いると、注入後に紫外線を照射することにより注入末端位置を固定することができて、距離Ｌ１を一定に保つことができるからである。
【００２０】
この後切断面１０を研磨してコネクタに取り付ける。
【００２１】
次に、第２細孔４ｂの閉じた末端と第１細孔４ａおよびクラッド部２の細孔４ｃの閉じた末端とのファイバ軸方向における距離Ｌ１の好ましい範囲についての検討結果を説明する。
【００２２】
まず、距離Ｌ１を５０μｍ、１００μｍ、５００μｍの３水準とし、それぞれについて偏波保持ＰＣＦを伝搬する信号光として波長０．４０５μｍと０．６３３μｍの光を想定し、それらのＦＦＰを計算してファイバ横断面に表現するシミュレーションを行った。その結果を図６から図８に示す。なお、このシミュレーションでは、第２細孔４ｂの径は３．６μｍ、第１細孔４ａおよびクラッド部２の細孔４ｃの径は１．３μｍ、隣り合う細孔間の距離は３．５μｍとした。
【００２３】
図６から図８においては、赤い部分（強度が大きい部分）が中央にまとまって一つ存在している場合はシングルモードであり、赤い部分が分裂して２つ以上ある場合はマルチモードである。このような観点から各図を見てみると、距離Ｌ１が５０μｍのとき（図６）は、波長０．４０５μｍと０．６３３μｍとの両方ともモードの乱れはない。次に距離Ｌ１が１００μｍのとき（図７）は、波長０．４０５μｍではモードの乱れがないが、波長０．６３３μｍではモードが乱れて赤い部分が２つに分かれている。さらに距離Ｌ１が５００μｍとなると（図８）、波長０．４０５μｍも０．６３３μｍもモードが乱れてしまって、ほとんどマルチモードになってしまっている。
【００２４】
次に、実際の偏波保持ＰＣＦ（第２細孔４ｂの径は３．６μｍ、第１細孔４ａおよびクラッド部２の細孔４ｃの径は１．３μｍ、隣り合う細孔間の距離は３．５μｍ）を用い、距離Ｌ１が３５μｍの偏波保持ＰＣＦと７５μｍの偏波保持ＰＣＦを作成した。これらの偏波保持ＰＣＦのＦＦＰを測定したものを図９，図１０に示す。
【００２５】
距離Ｌ１が３５μｍのとき（図９）は、波長０．４０５μｍと０．６３３μｍとの両方ともモードの乱れはない。しかし、距離Ｌ１が７５μｍのとき（図１０）は、波長０．４０５μｍと０．６３３μｍとの両方ともモードの乱れが生じている。なお、シミュレーションで距離Ｌ１が１００μｍのとき、波長０．４０５μｍにおいてモードの乱れが生じていないのに、実測において距離Ｌ１が７５μｍのとき、波長０．４０５μｍにおいてモードの乱れが生じているのは矛盾しているように思われるが、これは実測において作製した孔の形状、構造（熱溶融によりテーパ状態となったもの）に対してシミュレーションの孔の構造が異なることが影響しているものと考えられる。
【００２６】
以上の結果から、距離Ｌ１が大きくなると生じるモードの乱れは、信号光の波長が長くなると大きくなるが、波長０．６３３μｍ以下の信号光を用いる場合を考えると、距離Ｌ１が５０μｍ以下であれば、実質的にモードの乱れはない。距離Ｌ１が３５μｍ以下であると、より長波長の信号光を用いてもモードの乱れを確実に抑制できるため好ましい。なお、波長０．６３３μｍよりも長い可視光の信号光を用いた場合でも距離Ｌ１が５０μｍ以下であればモードの乱れはほとんどなく、実用上問題は全くない。
【００２７】
（実施形態２）
実施形態２に係る偏波保持ＰＣＦの横断面は、実施形態１に係る偏波保持ＰＣＦの横断面と同じである（図１）。本実施形態では、ファイバ端部をまず溶融により閉じた実施形態１とは異なり、まず細孔４ａ，４ｂ，４ｃが開口しているこの偏波保持ＰＣＦの一端から、ファイバを構成する石英と略同等の屈折率を有する注入物質を毛細管現象を利用して注入する。具体的には、例えば、偏波保持ＰＣＦの一端を液体である注入物質に浸漬して注入を行う。ここでの屈折率は、偏波保持ＰＣＦを伝達する信号光の波長における屈折率のことである。注入物質としては、例えば実施形態１で挙げたものを用いることができる。
【００２８】
そして、細孔４ａ，４ｂ，４ｃへの注入後に注入物質を硬化させて、注入物質を細孔４ａ，４ｂ，４ｃ内に固定する。硬化方法は、注入物質の種類によって異なるが、例えば紫外線を照射したり、熱を加えたり、空気中の水分や酸素などとの反応によって硬化させる。硬化後の偏波保持ＰＣＦの断面（ファイバ中心軸を含む断面）を図４（切断部分のハッチング省略）に模式的に示す。図４から判るように、径の大きい第２細孔４ｂよりも径が小さい第１細孔４ａおよびクラッド部２の細孔４ｃの方が、毛細管現象によってファイバ端面８からより離れた位置（図のＢの位置）にまで注入物質７が注入されている。なお、注入後に偏波保持ＰＣＦを移動させたり種々の加工を行っても注入物質７の細孔４ａ，４ｂ，４ｃ内部での位置が変動しなければ、注入物質７の硬化を行わなくても構わない。
【００２９】
本実施形態では、図４に示された状態で、第２細孔４ｂの閉じられている末端（細孔の中空部分と注入物質７との境目）と、第１細孔４ａおよびクラッド部２の細孔４ｃの閉じられている末端（細孔の中空部分と注入物質７との境目）とのファイバ軸方向における距離が５０μｍよりも大きくなっているため、実施形態１で説明したようなモードの乱れが生じてしまう。そこで、この距離を５０μｍ以下とするために、本実施形態では第２細孔４ｂにのみさらに注入物質７を注入する。
【００３０】
この注入方法の最初の工程は、まず図４において一点鎖線Ａの位置でファイバを切断する工程である。このようにファイバを切断すると切断面において、径の大きい第２細孔４ｂのみが開口し、径の小さい第１細孔４ａおよびクラッド部２の細孔４ｃは注入物質７により塞がれて開口していない状態となる。
【００３１】
次に図５（断面のハッチング省略）に示すように、切断面１０から第２細孔４ｂ内に注入物質７を注入する。さらに、必要に応じて注入物質７を硬化させる。この注入により、第２細孔４ｂの末端（細孔の中空部分と注入物質７との境目）と、第１細孔４ａおよびクラッド部２の細孔４ｃの末端（細孔の中空部分と注入物質７との境目）とのファイバ軸方向における距離Ｌ２を５０μｍ以下とする。このように距離Ｌ２を５０μｍ以下としているので、本実施形態においても実施形態１と同様に信号光にモードの乱れが生じることはない。また、実施形態１と同様に本実施形態においても距離Ｌ２が３５μｍ以下であると、より長波長の信号光を用いてもモードの乱れを確実に抑制できるため好ましい。なお、切断面１０から注入する注入物質は、最初に細孔４ａ，４ｂ，４ｃに注入した注入物質７とは異なる物質であっても構わない。
【００３２】
このように偏波保持ＰＣＦの端末を処理した後に、切断面１０を研磨してコネクタに取り付ける。
【００３３】
これまで説明した２つの実施形態は、本願発明の例示であり、本願発明はこれらの実施形態に限定されない。例えば、偏波保持ＰＣＦの横断面の構造は、コアの周囲の６つの細孔のうち、コアを挟んで相対する一対の細孔の径が、他の４つの細孔の径よりも大きい構造であっても良いし、コアが中空の構造であっても構わない。また、クラッド部の細孔の配置構造も、ファイバ横断面において略円形でも、矩形等でも構わない。さらに、フォトニッククリスタルファイバは偏波保持ＰＣＦに限定されず、異なる２種類以上の径をそれぞれ有する複数種の細孔を備えたフォトニッククリスタルファイバであれば構わない。
【００３４】
また、径の大きい第２細孔の閉じられた末端が、径の小さな第１細孔の閉じられた末端よりもファイバ端面から遠い位置に存していても構わない。
【００３５】
それから、径の異なる２種類以上の細孔の端を閉じる方法は、溶融のみでも構わないし、別の方法を用いても構わない。
【００３６】
なお、特許文献２には光ファイバに設けられた細孔に屈折率整合用物質が入れられている技術が開示されているが、これは、細孔を有する光ファイバと細孔を有さない光ファイバとの接続部分の構造に関する技術に限定され、接続損失の低減を目的にしている技術である。従って、径が異なる２種類以上の細孔を有しているフォトニッククリスタルファイバを対象とし、モードの乱れを低減させることを目的とする本願発明は、特許文献２の発明とは全く異なるものである。
【産業上の利用可能性】
【００３７】
以上説明したように、本発明に係るフォトニッククリスタルファイバ及びその端末の処理方法は、ファイバから出射する信号光のモードの乱れを抑制し、偏波保持ＰＣＦおよびその端末処理方法などとして有用である。
【図面の簡単な説明】
【００３８】
【図１】偏波保持フォトニッククリスタルファイバ（ＰＣＦ）の横断面を示す図である。
【図２】図１のＸ−Ｘ線断面の模式図である。
【図３】実施形態１に係る偏波保持ＰＣＦのファイバ中心軸に沿った断面模式図である。
【図４】実施形態２に係る偏波保持ＰＣＦの、作成途中におけるファイバ中心軸に沿った断面模式図である。
【図５】実施形態２に係る偏波保持ＰＣＦのファイバ中心軸に沿った断面模式図である。
【図６】孔間距離が５０μｍのときのＦＦＰのシミュレーション図である。
【図７】孔間距離が１００μｍのときのＦＦＰのシミュレーション図である。
【図８】孔間距離が５００μｍのときのＦＦＰのシミュレーション図である。
【図９】孔間距離が３５μｍのときのＦＦＰの実測図である。
【図１０】孔間距離が７５μｍのときのＦＦＰの実測図である。
【符号の説明】
【００３９】
１            コア
２            クラッド部
３            オーバークラッド部
４ａ          第１細孔
４ｂ          第２細孔
４ｃ          クラッド部の細孔
７            注入物質
Ｌ１，Ｌ２    第１細孔の閉じている端と第２細孔の閉じている端とのファイバ軸方向における距離
【図１】
2005321447.tif 000003
【図２】
2005321447.tif 000004
【図３】
2005321447.tif 000005
【図４】
2005321447.tif 000006
【図５】
2005321447.tif 000007
【図６】
2005321447.tif 000008
【図７】
2005321447.tif 000009
【図８】
2005321447.tif 000010
【図９】
2005321447.tif 000011
【図１０】
2005321447.tif 000012